(57)【要約】【課題】ふ化直後からふ化８日目後頃までのハタ科の仔魚を高い生存率で飼育可能な飼育方法及びその装置を提供すること。【解決手段】特定の構成の曝気手段と水流発生手段を組み合わせることにより、少量の曝気量で十分な溶存酸素を確保できるとともに、緩慢な攪拌を発生させ、浮上死、沈降死を激減させ、生残率を大幅に向上させる。また、日齢５まで夜間に照明を行い、水槽内を１０００  ｌｘ以上に維持することにより、夜間の沈降死を減少させる。【選択図】なし【特許請求の範囲】
【請求項１】
円筒状若しくは多角筒状の水槽底部に、側方に開口を有するパイプと上方に開口を有するパイプを交互に底面中心から放射状に延伸するように配置した水流発生手段が設置され、該水流発生手段は、飼育水槽内の飼育水を循環するための水中ポンプに接続され、水槽中央部及び水槽壁面部に曝気手段が設置されていることを特徴とするハタ科の子魚用飼育槽。
【請求項２】
水中ポンプが水槽中央部に設けられた排水ストレーナー内に設置され、該排水ストレーナー内には排水ホースが開口し、該排水ストレーナーの外周は注水ホース及び曝気手段により取り囲まれていることを特徴とする請求項１記載のハタ科の子魚用飼育槽。
【請求項３】
飼育水槽の上面に照明手段が設置されていることを特徴とする請求項１又は２記載のハタ科の子魚用飼育槽。
【請求項４】
円筒状若しくは多角筒状の水槽底部に設置された、側方に開口を有するパイプと上方に開口を有するパイプを交互に底面中心から放射状に延伸するように配置した水流発生手段より、水槽内の飼育水を循環させると共に、水槽中央部及び水槽壁面部に設置した曝気手段より曝気する水槽内で、ハタ科の仔魚を飼育する方法。
【請求項５】
飼育水槽の上面に設置された照明手段により水槽内を照明することを特徴とする請求項３記載のハタ科の子魚用を飼育する方法。
【発明の詳細な説明】
【技術分野】
【０００１】
本発明は、初期生存率を飛躍的に向上させることができるハタ科の種苗生産技術に関する。
【背景技術】
【０００２】
スジアラを初めとするハタ科の魚類は、総じて美味で人気が高く単価も高いことから、新たな養殖対象魚として期待されているが、安定して大量の種苗を生産する技術は確立されていない。
【０００３】
大量種苗生産を困難にしている理由の一つとして、ハタ科魚類のふ化仔魚が特に小型であり、その生残が種苗生残様飼育水槽の物理的環境に強く影響されることがあげられる。
【０００４】
特にふ化直後からふ化８日目後頃までの仔魚は、エアレーションによって水面に押し上げられ、表面張力によって飼育水槽の水面にトラップされてしまい、そのまま死亡してしまう「浮上死」があり、また、卵黄と油球を吸収した後の仔魚は比重が増大して海水より重くなり、特に夜間に水槽底に沈降し障害を受けて大量死につながる「沈降死」がある。
【０００５】
仔魚の沈降死を防止するための手段として、遊泳力の弱いクロマグロの仔魚の沈降を防除するため、角型ストレーナーの底面に十字型に配置したパイプに底面に対して４５〜５０°の角度で上方に向けた多数の穴を設け、該多数の穴から飼育水を噴出させ、微弱な上昇流を発声させる方法が提案されている（非特許文献１）。
しかし、係る方法のクロマグロ以外の魚種に対する有効性に関しては研究されていない。
【先行技術文献】
【非特許文献】
【０００６】
【非特許文献１】独立行政法人水産総合研究センター栽培漁業センタートピックス No.77 2005/10/27(http://ncse.fra.go.jp/00kenkyu/001topics/060topics_077)
【発明の概要】
【発明が解決しようとする課題】
【０００７】
本発明の目的は、ふ化直後からふ化８日目後頃までのハタ科の仔魚を高い生存率で飼育可能な飼育方法及びその装置を提供することである。
【課題を解決するための手段】
【０００８】
本発明者らは、ハタ科の仔魚の飼育槽における曝気と水流などについて、種々研究を重ねた結果、特定の構成の曝気手段と水流発生手段を組み合わせることにより、十分な曝気量で十分な溶存酸素を確保できるとともに、緩慢な攪拌流を発生させることができ、仔魚の浮上死や沈降死の発生を極めて低くすることができ、さらに、照明方法を工夫することにより仔魚の睡眠による沈降を防ぐことによって、ふ化直後からふ化８日目後頃までの仔魚の生存率を飛躍的に向上できることを見出し、本発明に至ったものである。
【０００９】
本発明で使用されるハタ科の仔魚の飼育装置は、円筒状若しくは多角筒状の水槽底部に、上方若しくは側方に多数の開口を設けたパイプを底面中心から放射状に延伸した水流発生手段と、空気及び／又は酸素の微細気泡を発生させる曝気手段を中心部と側壁部付近に設置し、該水槽の上部には水槽内を照明する照明手段を設置したものである。
【００１０】
上記の飼育槽でハタ科の仔魚を飼育するには、曝気手段より水槽の底部付近より空気及び／又は酸素の微細気泡を放散させながら、底面に設置した水流発生手段の放射状のパイプの開口より、上方および側方に向けて水を流出させる。
【００１１】
上記のように操作することにより、曝気による局部的な上昇流が抑えられ、水槽内全体を緩やかな水流とすることができ、自己遊泳力の弱いふ化直後からふ化８日目後頃までの仔魚が水面に押し上げられ、表面張力によって飼育水槽の水面にトラップされてしまうことや、水槽底に沈降する「沈降死」を大幅に防ぐことができる。
【００１２】
さらに、水槽上方に設けた照明手段により、夜間など、水槽内を照明し明るくすれば、付加直後から３日までに生じやすい仔魚の睡眠による水槽の底面への沈降の確率をさらに低くすることができる。
【００１３】
本発明で使用する水流発生手段としては、図２に示すように、側方に多数の開口を有するパイプと上方に多数の開口を有するパイプを交互に等間隔で配置することが好ましい。パイプの本数は使用する水槽の大きさにもよるが、本実験で使用した水槽（５０ｋＬ）規模であれば４本で十分である。
【００１４】
前記水流発生手段に使用されるパイプは内径１３〜４０ｍｍφ程度、好ましくは１３〜１６ｍｍφ程度の金属又は合成樹脂製で、上方又は側方に約１〜２ｍｍφ程度の開孔を約１０ｃｍ間隔で設けてある。かかる開孔から噴出させる水量は、使用する水槽の大きさにもよるが、本実験で使用した水槽規模であれば、２０〜２５Ｌ／分程度が好ましい。水流が２０Ｌ／分未満では、十分な飼育水の攪拌力が得られず、水流が２５Ｌ／分を超えると水槽中心部に仔魚を帷蝟集させ、廃水ストレーナーに接触させ易くし、死亡させてしまうという問題がある。
初めて飼育に使用する水槽の場合、飼育水の表面における横方向の流れで１〜２ｍ／分となるように水流発生手段からの水流を設定することが好ましい。
【００１５】
前記曝気手段は、型式は問わないが、できるだけ微細な気泡を発生するものが好ましい。空気曝気だけでなく酸素曝気を併用することにより少ない曝気量で必要な溶存酸素量を確保することが可能となる。
また、曝気手段は、水槽中央底部及び水槽側壁底部に設置する。水槽側壁底部の曝気手段は、できるだけ均等な間隔で設置することが好ましい。
【００１６】
本発明の照明手段は、水槽内の底部まで照明可能なものであれば種類は問わないが、消費電力の点から蛍光灯が好ましい。また、照度は、夜間において少なくとも１０００  ｌｘ必要である。
【００１７】
昼間は、自然光が利用できるが、ハタ科魚類は照度変化に敏感で、その結果浮上死に至る場合もあるので、白色シートで水槽上面を覆うとともに照明手段で水槽内を照明することが望ましい。白色シートで覆うことにより自然光の急激な変化を和らげることができ、昼間でも照明を点灯させ水中照度を維持すれば、子魚の餌食いが促進される。
【００１８】
本発明の水槽で飼育するハタ科小魚の量は、１ｋＬ当たり1万匹が目安となる。
子魚は、アルテミア孵化槽などで管理したスジアラの卵を本発明の水槽内に収容して孵化させてもよく、予め孵化槽で孵化させた子魚を本発明の水槽内に移してもよい。水槽内で直接、卵を孵化させる場合は、孵化率を考慮し多めの卵を用意する必要がある。
しかし、孵化後の卵の殻や卵内の蛋白質成分による水質の汚濁を考えると、別途孵化槽内で孵化させて水槽内に移し替えることが好ましく、飼育槽内で孵化させた場合、日齢２までは換水量を多くして水質の汚濁を防ぐ必要がある。
【００１９】
本発明の態様は以下のとおりである。
（１）円筒状若しくは多角筒状の水槽底部に、側方に開口を有するパイプと上方に開口を有するパイプを交互に底面中心から放射状に延伸するように配置した水流発生手段が設置され、該水流発生手段は、飼育水槽内の飼育水を循環するための水中ポンプに接続され、水槽中央部及び水槽壁面部に曝気手段が設置されていることを特徴とするハタ科の子魚用飼育槽。
（２）水中ポンプが水槽中央部に設けられた排水ストレーナー内に設置され、該排水ストレーナー内には排水ホースが開口し、該排水ストレーナーの外周は注水ホース及び曝気手段により取り囲まれていることを特徴とする（１）記載のハタ科の子魚用飼育槽。
（３）飼育水槽の上面に照明手段が設置されていることを特徴とする（１）又は（２）記載のハタ科の子魚用飼育槽。
（４）円筒状若しくは多角筒状の水槽底部に設置された、側方に開口を有するパイプと上方に開口を有するパイプを交互に底面中心から放射状に延伸するように配置した水流発生手段より、水槽内の飼育水を循環させると共に、水槽中央部及び水槽壁面部に設置した曝気手段より曝気する水槽内で、ハタ科の仔魚を飼育する方法。
（５）飼育水槽の上面に設置された照明手段により水槽内を照明することを特徴とする（４）記載のハタ科の子魚用を飼育する方法。
【発明の効果】
【００２０】
本発明の水槽を使用して、水槽の中央部及び側壁部に設置した曝気手段より酸素及び／又は空気を曝気させながら、水槽底面に設置した水流発生手段より水を噴出させ、スジアラを初めとするハタ科の魚のふ化直後からふ化８日目後頃までの仔魚を成育させれば、水槽内の飼育水は適度に攪拌され、局部的な強い水流が生じないので、浮上死や沈降死を格段に減少させることができ、従来と比べその生存率を大幅に向上させることが可能となる。
さらに、水槽の上部に設けた照明手段により、ふ化後５日まで、常時、あるいは夜間に水槽内部を照明することにより、沈降死の確率をさらに低くすることができる。
【図面の簡単な説明】
【００２１】
【図１】本発明の飼育槽の概略図
【図２】従来方式の飼育槽の概略図
【図３】クロマグロ方式と対比した結果を示すグラフ
【図４】夜間の照明および本発明の水流の有無による死亡個体数の差異を示すグラフ
【発明を実施するための最良の形態】
【００２２】
以下、本発明の実施例について説明するが、本発明はこれに限定されるものではない。
【実施例１】
【００２３】
［本発明の装置］
本発明の装置の概略を図１に示す。
正八角柱状の５０ｋＬの飼育水槽１の底面には、水流発生手段が固定され、該水流発生手段には、水中ポンプ１０により飼育槽内の飼育水を循環するようにし、該水中ポンプ１０は、水槽中央部にネット８で区画した排水ストレーナー９内に配設する。
【００２４】
殺菌海水の注水は、飼育槽１の中央底部付近に、紫外線照射またはオゾン曝気により殺菌した新鮮な海水を供給する注水管２３より行う。
【００２５】
曝気手段は水槽中央部の酸素曝気用エアストーン１６ａ、空気曝気用エアストーン１６ｂの他に飼育水槽側壁底部の４箇所に散気ホース１７を設けた。概略を図２に示す(図では散気ホースは２箇所のみ)。エアストーン１６と注水管２３は、水槽中央部に設けた排水ストレーナー９の周囲に沿って固定した。
【００２６】
水流発生手段２は、飼育槽１の底面に、内径１３ｍｍφの塩ビ製パイプ３を十字状に接続し、各先端部４を閉塞すると共に、中央の交差部５に水供給ホース６を接続したものである。各パイプ３は、交互に上方及び側方に向け２ｍｍφの開孔７が約１０ｃｍの間隔で形成されている。
【００２７】
上記の装置において、換水量は、１．５ｋＬ／時、水中ポンプに接続した水流発生手段による飼育水の循環水量は、１.５ｋＬ／時とした。
また，日齢１０以降には，水中ポンプからの水の吐出量は２.０〜２.２ｋＬ／時に増加させた。
【００２８】
また、スジアラの仔魚は成長すると魚体が重くなり沈み易くなるので、曝気手段による曝気は、ふ化後日齢１０までは、エアストーンより酸素０．５Ｌ／分、空気０．５Ｌ／分、日齢１１から１５までは、エアストーンより酸素１．０／分、空気１．０Ｌ／分、散気ホースより０．５〜２．０Ｌ／分まで徐々に増加させた。
【００２９】
照明方法は、日齢５までは常時点灯とした。また、自然光を積極的に取り入れるため白い幕で遮光し、夜間においても最低照度１０００  ｌｘを維持するようにした。
日齢６以降は仔魚の摂餌リズムを狂わすので夜間照明は中止し自然日周に変えた。
【００３０】
給餌方法は、生物学的開口時に、比較的小型サイズのＳ型ワムシ  タイ株を２０個体／ｍＬとなるように飼育槽内に与え、その後、日齢５まではワムシ濃度を測定しながら上記基準を維持するよう追加した。日齢６以降は、Ｓ型ワムシを１０個体／ｍＬとなるように与え、サイズが８ｍｍ程度となる日齢１７頃以降はアルテミアを２０個体／ｍＬとなるように与えた。
また、飼育水中の飢餓ワムシの状態を回避する目的で、卵収容時から日齢３５まで、市販のクロレラを１Ｌずつ２回／日添加した。
背鰭の伸張鰭条と全長の比が１：１となる全長９ｍｍころ（日齢２０前後）から仔魚の遊泳行動が活発となるので、市販の配合飼料の餌付けを開始し、日齢３５には、アルテミアの給餌を完全に休止する。
【００３１】
＜従来方法の装置＞
飼育水槽１は、本発明と同じ正八角柱状５０ｋＬの水槽であり、概略を図２に示す。
水流発生手段３０は、飼育槽１の底面側部に、４０ｍｍφの塩ビ製のパイプ３の側方に１０ｍｍφの開孔７を１０ｃｍ間隔で設けたもので、注水ホース３１より、紫外線照射またはオゾン曝気により殺菌した海水を注水する。
【００３２】
飼育槽内の一部をネット８で区画した排水ストレーナー９を形成し、該区画内に水槽内の飼育水を排水する排水ホース１１を開口させる。
【００３３】
曝気手段１５としては、飼育槽中央底部付近にエアストーン１６を２つ配置し、酸素ガス用１６ａと空気用１６ｂとした。
【００３４】
飼育槽１の上面には照明用の１０００  ｌｘ蛍光灯２０を２本配設し、常時点灯とした。
【００３５】
紫外線照射またはオゾン曝気により殺菌した海水の注水による飼育槽内の換水量は、ふ化後日齢２までは４．０ｋＬ／時、摂餌が始まる日齢２以降は１．５ｋＬ／時とし、日齢１５以降は２．０ｋＬ／時とした。
【００３６】
曝気方法は、できるだけ少ない曝気量で酸素溶存量を確保するため空気と酸素を併用し、常時６ｍｇ／Ｌ以上のＤＯ値が維持できるようにする。ふ化後日齢２までは、空気の曝気量を多くして５．５Ｌ／分（酸素０．５Ｌ＋空気５．０Ｌ）の通気量とし、攪拌作用により稚魚の沈降防ぎ、摂餌が始まるふ化後日齢３以降は、空気の曝気量を少なくして稚魚の摂餌を容易にし、日齢６以降は、稚魚も成長により比重が増えるため、ＤＯ値を見ながら酸素及び空気の曝気量を徐々に増加させていき、日齢１０以降は、４．０Ｌ／分（酸素１．０Ｌ／分、空気３．０Ｌ／分）とした。
【００３７】
なお、給餌方法は、本発明と同じである。
【００３８】
本発明の方法と従来法の条件は、表１に示すとおりである。
【００３９】
【表１】
2011172505.tif 000002
【００４０】
日齢６０を取り上げ日とし、取り上げサイズと生残率を調査した。その結果を表２に示す。なお、従来法は、１９８７年から２００７年までの平均値である。
【００４１】
【表２】
2011172505.tif 000003
【実施例２】
【００４２】
本発明の装置を使用した方式と、先行技術であるクロマグロ方式をスジアラの飼育に適用した場合を、日齢１０の時点で生存率、平均全長、平均ワムシ摂餌数（個数）を調査して比較した。なお、使用した飼育槽は５０ｋＬ水槽で各飼育層にはスジアラ１０万匹を飼育した。参考としてスジアラの従来方式の結果も示す。それぞれの方式の飼育条件は表３に示すとおりであり、その結果は図３に示す。
仔魚のワムシ摂餌数の計測は、日齢３〜１０，全長測定は、日齢１〜１０にかけて，毎日定刻に各試験区から３０尾を採取して行った。Ｍ−アミノ安息香酸エチルメタンスルホネート（ナカライデスク株式会社）で麻酔後に，スライドガラスに移して，万能投影機（Nikon  V12-A）で２０〜５０倍に拡大して，デジタルノギス（Mitutoyo Absolute DIGIMATIC）を用いて０．１ｍｍ単位まで測定した。ワムシ摂餌数の確認は，仔魚の胃袋の内容物をスライドガラス上で軽く押し潰して，それぞれのワムシの口器（Trophy）数を光学顕微鏡下（Nikon YS2-H）で計数した。
【００４３】
【表３】
2011172505.tif 000004
【００４４】
図３のグラフから明らかなように、日齢１０では、平均全長、平均ワムシ摂餌数には差が生じなかったものの、生残率については、明らかに本発明の方式が優れていることがわかる。
【実施例３】
【００４５】
飼育槽内を照明することの効果を検証するため、実施例２で使用した飼育槽で、常時照明を点灯させるが水流を発生させないもの（全明；止水）、照明をせず水流も発生させないもの（自然日長；止水）、照明はしないが本発明の水流発生手段により水流を発生させるもの（自然日長；水流）について、日齢４から６の間、前日２３時における死亡個体、当日１０時における死亡個体及び生存個体を調べた。その結果を図４に示す。
【００４６】
図４のグラフから明らかなように、本発明の水流を発生させれば、この期間における生存個体数が多いが、常時照明を点灯させることにより日齢３の夜間における死亡個体数が大幅に減少することがわかる。これは、夜間でも照明により明るく保つことによって、仔魚が睡眠することによる沈降死を防ぐことができたからと推定される。
【産業上の利用可能性】
【００４７】
従来、養殖が困難とされてきたアラ科の養殖の実用化が可能となり、本発明の経済的効果は大きい。
【符号の説明】
【００４８】
１  飼育槽
２  水流発生手段
３  パイプ
４  パイプ先端部
５  パイプ交差部
６  給水ホース
７  パイプに設けられた開孔
８  ネット
９  排水ストレーナー
１０  水中ポンプ
１１  排水ホース
１５  曝気手段
１６  エアストーン
１７  散気ホース
２０  蛍光灯
２１  反射カバー
２３  注水管
３０  従来方式の水流発生手段
３１  注水ホース
【図１】
2011172505.tif 000005
【図２】
2011172505.tif 000006
【図３】
2011172505.tif 000007
【図４】
2011172505.tif 000008